(57)【特許請求の範囲】
【請求項１】
階段に所定の間隔で配設した垂直な支柱を介して形成した手摺りの軸方向に対し直交する方向から前記手摺りに嵌め込み得るよう断面がＵ字形状のドーム状部材で形成した器具本体と、
基端部を前記器具本体の開口部の内周面に固定した状態で先端部を前記器具本体の軸方向に回動し得るように形成して前記器具本体を前記手摺りに装着する際及び前記器具本体が前記支柱を通過する際には前記回動により前記開口部を開き、それ以外では前記開口部を閉じるように形成した抜け止め部材と、
前記器具本体の内周側に配設されて前記手摺りの外周面に沿う形状の摺動部と、この摺動部から前記器具本体の、前記ドーム状部材の頂点に対し斜め上方の外周面側に突出するとともに安全ベルトのフックを係止するためのフック係止孔を有する突出部とを具備して、通常時には、前記ドーム状部材の頂点と前記手摺りの中心を結ぶ線が上方に向かうような姿勢を維持して前記器具本体を前記手摺りに嵌め込んだ状態で、前記手摺りの軸方向に沿う前記器具本体の移動を許容するとともに、前記安全ベルトを介して前記手摺りの中心に向かう外力が作用した時には前記摺動部が前記外周面に押し付けられるように前記器具本体に取り付けたストッパ部材とを有することを特徴とする転落防止器具。
【請求項２】
請求項１に記載する転落防止器具において、
前記器具本体の内周面と手摺りの外周面との間に所定の間隙を確保するように前記器具本体の内周面にスペーサを配設したことを特徴とする転落防止器具。
【請求項３】
請求項１又は請求項２に記載する転落防止器具において、
前記ストッパの摺動部の表面には手摺りの外周面に向けて突出させた多数の突起を有することを特徴とする転落防止器具。
【請求項４】
請求項１乃至請求項３の何れか一つに記載する転落防止器具において、
前記抜け止め部材は、一方向への回動力で付勢された第１のスプリングヒンジ部を介して前記器具本体に取り付けられた第１の開閉部材と、反対方向への回動力で付勢された第２のスプリングヒンジ部を介して前記第１の開閉部材に取り付けられた第２の開閉部材とを有することを特徴とする転落防止器具。
【請求項５】
請求項１乃至請求項４の何れか一つに記載する転落防止器具において、
前記抜け止め部材は、前記器具本体の軸方向に関する両端部に前記支柱の幅よりも大きな間隔を隔てて２組、形成したことを特徴とする転落防止器具。
【発明の詳細な説明】
【技術分野】
【０００１】
本発明は転落防止器具に関し、特に傾斜が急な階段の手摺りに装着するとともに、この転落防止器具に安全ベルトのフックを係止する場合に適用して有用なものである。
【背景技術】
【０００２】
水力発電所における水圧鉄管路巡視業務は、水圧鉄管路沿いに設置された急勾配の階段である巡視路を通行しながら月に一回程度実施している。かかる巡視業務における転落防止のための設備としては、階段に併設した手摺りを利用している。すなわち、作業員は手摺りに掴まりながら所定の巡視路を巡回している。
【０００３】
一方、階段と同程度に傾斜した手摺り上を自由に滑動でき、ハンドル及びストッパを備えて手摺りに装着して使用する転落防止器具も提案されている（特許文献１参照）。また、現場に専用のレール又はロープを張り、これらを利用して墜落防止用安全器を取り付けるものも提案されている（特許文献２参照）。
【０００４】
【特許文献１】特開平０８−０２４３５３号公報
【特許文献２】実公平０８−００７８７３号公報
【発明の開示】
【発明が解決しようとする課題】
【０００５】
しかしながら、手摺りに掴まりながら所定の巡視路を巡回する場合、ヒューマンエラーに起因した転落の可能性が常に付きまとう。
【０００６】
一方、特許文献１に開示する技術では、常にハンドルと一体となった握り部を握り、昇降の度にこの握り部及びハンドルを前後に回動してストッパを手摺りの表面に押さえつける必要がある。
【０００７】
また、特許文献２に開示する技術では、別途レール乃至ロープを張る必要があり、コストがかさむばかりでなく、器具自体も構造が複雑であるという問題がある。
【０００８】
本発明は、上記従来技術に鑑み、簡単な構造で容易に手摺りに装着し得るとともに確実に転落を防止し得る転落防止器具を提供することを目的とする。
【課題を解決するための手段】
【０００９】
上記目的を達成するための本発明の第１の態様は、
階段に所定の間隔で配設した垂直な支柱を介して形成した手摺りの軸方向に対し直交する方向から前記手摺りに嵌め込み得るよう断面がＵ字形状のドーム状部材で形成した器具本体と、
基端部を前記器具本体の開口部の内周面に固定した状態で先端部を前記器具本体の軸方向に回動し得るように形成して前記器具本体を前記手摺りに装着する際及び前記器具本体が前記支柱を通過する際には前記回動により前記開口部を開き、それ以外では前記開口部を閉じるように形成した抜け止め部材と、
前記器具本体の内周側に配設されて前記手摺りの外周面に沿う形状の摺動部と、この摺動部から前記器具本体の、前記ドーム状部材の頂点に対し斜め上方の外周面側に突出するとともに安全ベルトのフックを係止するためのフック係止孔を有する突出部とを具備して、通常時には、前記ドーム状部材の頂点と前記手摺りの中心を結ぶ線が上方に向かうような姿勢を維持して前記器具本体を前記手摺りに嵌め込んだ状態で、前記手摺りの軸方向に沿う前記器具本体の移動を許容するとともに、前記安全ベルトを介して前記手摺りの中心に向かう外力が作用した時には前記摺動部が前記外周面に押し付けられるように前記器具本体に取り付けたストッパ部材とを有することを特徴とする転落防止器具にある。
【００１０】
本発明の第２の態様は、
上記第１の態様に記載する転落防止器具において、
前記器具本体の内周面と手摺りの外周面との間に所定の間隙を確保するように前記器具本体の内周面にスペーサを配設したことを特徴とする転落防止器具にある。
【００１１】
本発明の第３の態様は、
上記第１又は第２の態様に記載する転落防止器具において、
前記ストッパの摺動部の表面には手摺りの外周面に向けて突出させた多数の突起を有することを特徴とする転落防止器具にある。
【００１２】
本発明の第４の態様は、
上記第１乃至第３の態様の何れか一つに記載する転落防止器具において、
前記抜け止め部材は、一方向への回動力で付勢された第１のスプリングヒンジ部を介して前記器具本体に取り付けられた第１の開閉部材と、反対方向への回動力で付勢された第２のスプリングヒンジ部を介して前記第１の開閉部材に取り付けられた第２の開閉部材とを有することを特徴とする転落防止器具にある。
【００１３】
本発明の第５の態様は、
上記第１乃至第４の態様の何れか一つに記載する転落防止器具において、
前記抜け止め部材は、前記器具本体の軸方向に関する両端部に前記支柱の幅よりも大きな間隔を隔てて２組、形成したことを特徴とする転落防止器具にある。
【発明の効果】
【００１４】
本発明によれば、安全ベルトを装着して階段を昇降する作業員がその安全ベルトのフックをストッパ部材のフック係止孔に係止するだけで転落防止を図ることができる。すなわち、作業員が足を滑らせた場合には、安全ベルトを介して外力がストッパ部材に作用し、この結果前記外力の、手摺りの軸方方向と直交する方向成分により摺動部が手摺りの外周面に押し付けられる。かかる摺動部による手摺りとの間の摩擦力により作業員の転落を有効に防止し得る。
【００１５】
一方、当該転落防止器具の手摺りに対する装着は、抜け止め部材を回動して器具本体の開口部を開口した状態で前記器具本体を手摺りに嵌め込むことにより容易に行うことができる。また、昇降時には摺動部と手摺りとの間の摩擦力は問題となることなく、作業員の昇降に伴い器具本体も同伴させて移動させることができる。この際、器具本体が支柱部分に差し掛かった場合には、抜け止め部材を回動することにより支障なく通過させることができる。この結果、簡単な構造の転落防止器具で、有効に作業員の転落防止を図り得るとともに、通常の昇降はこれを円滑に行うことができるので、所定の保守作業等の能率を低下させる心配もない。
【発明を実施するための最良の形態】
【００１６】
以下本発明の実施の形態を図面に基づき詳細に説明する。
【００１７】
図１は本発明の実施の形態に係る転落防止器具を手摺りに装着した状態で概念的に示す説明図である。同図に示すように、当該転落防止器具Ｉは、階段（図示せず）に所定の間隔で配設した垂直な支柱１を介して形成した手摺り２に嵌め込んで装着するようになっている。
【００１８】
図２乃至図３に基づきさらに詳説する。図２は本発明の実施の形態に係る転落防止器具を示す正面図、図３は図２を側面から見た図で、（ａ）は開閉部材が閉じた状態で示す左側面図、（ｂ）は開閉部材が開いた状態で示す右側面図である。
【００１９】
これらの図に示すように、器具本体３は、手摺り２の軸方向に対して直交する方向から手摺り２に嵌め込み得るよう断面がＵ字形状のドーム状部材で形成してある。
【００２０】
本形態における抜け止め部材４、５は、器具本体３の軸方向に関する両端部に２組、形成してある。さらに、抜け止め部材４は、図３に示すように、器具本体３の開口部の左右両側から中心に向かって伸びる二つの開閉部材４ａ、４ｂからなり、それぞれの基端部が器具本体３の開口部において、この器具本体３に、その軸方向（図２の左右方向）に回動可能に取り付けられている。すなわち、抜け止め部材４は、通常は、図３（ａ）に示すように、開閉部材４ａ、４ｂの先端部が相対向して器具本体３の開口部を閉じている。かかる状態では、開閉部材４ａ、４ｂが手摺り２に当接することにより器具本体３の移動が規制される。すなわち、開閉部材４ａ、４ｂで器具本体３の開口部を閉じた状態で、開閉部材４ａ、４ｂは器具本体３の手摺り２からの抜け止めとして機能する。
【００２１】
一方、開閉部材４ａ、４ｂが器具本体３の開口部を閉じた状態で、開閉部材４ａ、４ｂに外力を作用させるとそれぞれの基端部を回動中心として開閉部材４ａ、４ｂが回動することにより器具本体３の開口部が開かれる。かかる状態では、器具本体３の手摺り２に対する装着及び取り外しを行うことができる。また、図３（ｂ）に示すように、支柱１の部分を、手摺り２に装着した器具本体３を通過させることができる。何れの場合も開閉部材４ａ，４ｂと手摺り２乃至支柱１との干渉を回避することができるからである。
【００２２】
ここで、抜け止め部材５は抜け止め部材４と全く同様に構成してある。さらに、抜け止め部材４，５は、支柱１の幅よりも大きな間隔を隔てて配設してある。このことにより、器具本体３が支柱１の部分を通過する際に一方の抜け止め部材４又は５のみが器具本体３の開口部を開き、残りの抜け止め部材５又は４は器具本体３の開口部を閉じたままにしておくことができる。かくして、抜け止め部材４又は５の何れか一方が器具本体３の開口部を開いた状態で支柱１の部分を通過中であっても残りの抜け止め部材５又は４は器具本体３の開口部を閉じているので、器具本体３が手摺り２から抜け出るのを防止することができる。
【００２３】
なお、図３（ａ）のＡ部分に関しては、後で詳細に説明する。
【００２４】
ストッパ部材６は器具本体３の内周側に配設されて手摺り２の外周面に沿う形状の摺動部６ａと、この摺動部６ａから器具本体３の外周面側に突出する突出部６ｂとを有しており、通常時には手摺り２の外周面と摺動部６ａとの間に間隙を確保し得るように構成してある。本形態においては、器具本体３の内周面に３個のスペーサ７を配設してあり、各スペーサ７で、器具本体３の内周面と手摺り２の外周面との間に所定の間隙を確保するようになっている。すなわち、通常時における手摺り２の外周面と摺動部６ａとの間の間隙は各スペーサ７によって確保される。
【００２５】
また、ストッパ部材６の突出部６ｂは安全ベルト（図１乃至図３には図示せず。以下同じ。）のフックを係止するためのフック係止孔６ｃを有しており、摺動部６ａはその表面に手摺り２の外周面に向けて突出させた多数の突起６ｄを有している。かくして、前記安全ベルトを装着している作業者が足を滑らせた場合等、ストッパ部材６に外力が作用した時には摺動部６ａが手摺り２の外周面に押し付けられるとともに、このように押し付けた場合の手摺り２との間の摩擦力を増大させて手摺り２に沿う作業員の滑落を有効に防止するようになっている。
【００２６】
ここで、安全ベルトの一例を説明しておく。図４に示すように、安全ベルトＩＩは、大きく分けて腰ベルト２１とロープ２２との２部分からなる。ここで、腰ベルト２１は作業者の腰の周りに巻いてバックル２３で固定する。ロープ２２はその基端部が、腰ベルト２１に固定されたストラップ巻取器２４に巻回してある。また、その先端部にはフック２５が固着してある。ここで、腰ベルト２１の長さは、ストラップ巻取器２４に巻き取るロープの長さで調整するとともに、前記フック２５をストッパ部材６のフック係止孔６ｃに係止するようになっている。
【００２７】
図５は図３（ａ）のＡ部分を拡大して示す図で、（ａ）は平面図、（ｂ）は左側面図である。両図に示すように、抜け止め部材４の開閉部材４ａは、一方向（図５（ａ）では反時計方向）への回動力で付勢された第１のスプリングヒンジ部１１を介して器具本体３に取り付けられた第１の部材１２と、反対方向（図５（ａ）では時計方向）への回動力で付勢された第２のスプリングヒンジ部１３を介して第１の部材１２に取り付けられた第２の部材１４とを有する。さらに詳言すると、器具本体３には連結部材１５が溶接等で固着してあり、この連結部材１５に第１のスプリングヒンジ部１１を介して第１の部材１２が取り付けてある。第２の部材１４は、第２のスプリングヒンジ部１３に取り付けられた連結部材１４ａと、この連結部材１４ａに溶接等で固着してあるゲート部材１４ｂとからなる。
【００２８】
かかる開閉部材４ａは、通常時には、第１及び第２のスプリングヒンジ部１１、１３のバネ力により図５に示す状態で器具本体３の開口部を閉じている。この状態でゲート部材１４ｂに図５（ａ）中の反時計方向への回動力を作用させた場合、第１のスプリングヒンジ部１１が回動中心となってゲート部材１４ｂが反時計方向に回動する。このことによりゲート部材１４ｂが器具本体３の軸方向に沿う位置に占位する結果、器具本体３の開口部が開かれる。このゲート部材１４ｂに作用する力を取り除けば、ゲート部材１４ｂは第１のスプリングヒンジ部１１のバネ力で時計方向に回動して元の位置に戻る。すなわち、器具本体３の開口部は閉じられる。
【００２９】
一方、器具本体３の開口部が開閉部材４ａにより閉じられた状態でゲート部材１４ｂに図５（ａ）中の時計方向への回動力を作用させた場合、ゲート部材１４ｂを時計方向に回動させて器具本体３の開口部を開くことができる。すなわち、この場合、第２のスプリングヒンジ部１３が回動中心となってゲート部材１４ｂが時計方向に回動する。このことによりゲート部材１４ｂが器具本体３の軸方向に沿う位置に占位する結果、器具本体３の開口部が開かれる。このゲート部材１４ｂに作用する力を取り除けば、ゲート部材１４ｂは第２のスプリングヒンジ部１３のバネ力で反時計方向に回動して元の位置に戻る。すなわち、器具本体３の開口部は閉じられる。
【００３０】
ちなみに、階段の上りに際し支柱１（図１参照）の部分を通過する際には器具本体３を手摺り２に沿って押し上げるので、ゲート部材１４ｂを時計方向に回動させて器具本体３の開口部を開くとともに、階段の下りに際し支柱１（図１参照）の部分を通過する際には器具本体３を手摺り２に沿って押し下げるので、ゲート部材１４ｂを反時計方向に回動させて器具本体３の開口部を開く。
【００３１】
なお、図５に示す構成は、他の開閉部材４ｂ乃至抜け止め部材５に関しても同様である。
【００３２】
本形態に係る転落防止器具Ｉを使用する場合、抜け止め部材４，５を回動させて器具本体３の開口部を開いた状態で器具本体３を手摺り２に嵌め込み、その後抜け止め部材４，５を反対方向に回動させて器具本体３の開口部を閉じる。このことにより器具本体３は抜け止めを防止した状態で手摺り２に装着される。
【００３３】
安全ベルトＩＩを装着した作業員はその安全ベルトＩＩのフック２５をストッパ部材６のフック係止孔６ｃに係止して階段を昇降する。このとき器具本体３は作業員とともに手摺り２に沿って移動させられる。通常の移動の際には摺動部６ａが手摺り２の外周面に軽く当接しているだけであるので昇降の邪魔になることはない。また、作業員の昇降に伴い器具本体３が支柱１の部分に至った場合には、抜け止め部材４，５が器具本体３の開口部を開いて支障なく通過させる。
【００３４】
一方、階段の昇降中に作業員が足を滑らせた場合には、安全ベルトＩＩを介して外力がストッパ部材６に作用し、この結果前記外力の、手摺り２の軸方方向と直交する方向成分により摺動部６ａがその突起６ｄを介して手摺り２の外周面に押し付けられる。かかる摺動部６ａによる手摺り２との間の摩擦力により作業員の転落を有効に防止し得る。
【００３５】
なお、上記実施の形態において抜け止め部材４，５は観音扉式のヒンジ構造を採用したが、勿論これに限るものではない。器具本体３の手摺り２から抜け止め機能を有するとともに、手摺りに対する装着及び支柱１の部分の通過の際に器具本体３の開口部を開くような構造になっていれば良い。また、抜け止め防止部材は少なくとも１個有していれば良い。上述の如き機能は最低１個あれば保障されるからである。
【産業上の利用可能性】
【００３６】
本発明は急峻な階段を昇降して所定の点検等を行う場合の安全器具を製造・販売するとともにこれらを使用して保守点検等を行う産業分野で良好に適用し得る。
【図面の簡単な説明】
【００３７】
【図１】本発明の実施の形態に係る転落防止器具を手摺りに装着した状態で概念的に示す説明図である。
【図２】本発明の実施の形態に係る転落防止器具を示す正面図である。
【図３】図２を側面から見た図で、（ａ）は開閉部材が閉じた状態で示す左側面図、（ｂ）は開閉部材が開いた状態で示す右側面図である。
【図４】安全帯の一例を概念的に示す説明図である。
【図５】図３（ａ）のＡ部分を拡大して示す図で、（ａ）は平面図、（ｂ）は左側面図である。
【符号の説明】
【００３８】
Ｉ          転落防止器具
ＩＩ        安全ベルト
１          支柱
２          手摺り
３          器具本体
４，５      抜け止め部材
４ａ，４ｂ  開閉部材
６          ストッパ部材
６ａ        摺動部
６ｂ        突出部
６ｃ        フック係止孔
６ｄ        突起
７          スペーサ
１１        第１のスプリングヒンジ部
１２        第１の部材
１３        第２のスプリングヒンジ部
１４        第２の部材
１４ａ      連結部材
１４ｂ      ゲート部材
１５        連結部材
２１        腰ベルト
２２        ロープ
２５        フック
【図１】
0005004814.tif 000002
【図２】
0005004814.tif 000003
【図３】
0005004814.tif 000004
【図４】
0005004814.tif 000005
【図５】
0005004814.tif 000006